(57)【要約】      （修正有）【課題】磁石ユニットとターゲット材を取り替えるだけで、基材のサイズ変更に対応できる成膜装置を提供する。【解決手段】本発明の成膜装置は、基材の正面に対向する蒸発源２を用いて、搬送される基材の表面に成膜を行うものであって、蒸発源２がターゲット材７とバッキングプレート８と磁石ユニット９とカソードボディー１０と、さらに磁石ユニット９とバッキングプレート８とが離間してなる空間であってこの空間に冷却水を流通可能な冷却水流路１２とを有しており、磁石ユニット９は基材よりも狭幅とされた狭幅基材に対応して短尺のサイズが配備可能とされ、ターゲット材７は、配備された磁石ユニット９の幅に対応して短尺のサイズが配備されている。【選択図】図２
2014224284.tif 000002
【特許請求の範囲】
【請求項１】
基材に対向する蒸発源を用いて、搬送される基材の表面に成膜を行う成膜装置であって、
前記蒸発源は、成膜物質で形成された平板状のターゲット材と、前記ターゲット材が表面に取り付けられたバッキングプレートと、前記バッキングプレートの裏側に配備されて、ターゲット材にマグネトロン放電のための磁場を形成する磁石ユニットと、前記磁石ユニットを収納するカソードボディーと、前記磁石ユニットとバッキングプレートとが離間してなる空間であって且つ当該空間には冷却水が流通可能となっている冷却水流路と、を有しており、
前記磁石ユニットは、前記基材よりも狭幅とされた狭幅基材に対応して短尺のサイズが配備可能とされ、前記ターゲット材は、配備された磁石ユニットの幅に対応して短尺のサイズが配備されている
ことを特徴とする成膜装置。
【請求項２】
前記磁石ユニットは、前記カソードボディーの正面視で長方形の空間に収納されており、
前記冷却水流路は、前記カソードボディーの長手方向の一方端に形成されて前記バッキングプレート背面の冷却水流路へのとの間に冷却水の導入路と、前記カソードボディーの長手方向の他方端に形成されて冷却水の導出路と、を有していることを特徴とする請求項１に記載の成膜装置。
【請求項３】
前記磁石ユニットは、正面視で長方形に形成されており、
前記冷却水流路は、前記磁石ユニットの長手方向の中央部に形成されて前記水路板とバッキングプレートとの間に冷却水を流入させる導入路と、前記磁石ユニットの長手方向の中央部に形成されて冷却水を外部に導出する導出路と、を有していることを特徴とする請求項１に記載の成膜装置。
【請求項４】
前記磁石ユニットは、正面視で長方形に形成されると共に、少なくとも外周磁極の短辺部の高さが低く構成されており、
前記冷却水流路は、通常尺の磁石ユニットを搭載する場合には、冷却水は外周磁極の短辺部付近の外周磁極と中央磁極の間の空間から導入乃至は導出され、短尺の磁石ユニットを搭載する場合には、前記磁石ユニットの前記短辺部の外側から冷却水が導入乃至は導出することを特徴とする請求項１に記載の成膜装置。
【請求項５】
請求項１〜４のいずれかに記載された成膜装置を用いて、基材の表面に成膜を行うに際し、  
前記成膜装置に適合する基材よりも狭幅とされた狭幅基材の表面に成膜を行う場合には、短尺のサイズの磁石ユニットを配備し、
配備した磁石ユニットの幅に対応して短尺のサイズのターゲット材を配備して成膜を実施する
ことを特徴とする成膜方法。
【発明の詳細な説明】
【技術分野】
【０００１】
本発明は、サイズが異なる基材に対して安定した成膜を可能とする成膜装置及び成膜方法に関するものである。
【背景技術】
【０００２】
一般に、マグネトロンスパッタ装置などの成膜装置は、合成樹脂フィルムなどの基材の表面にプラズマを発生させ、発生したプラズマを利用して成膜を行う構成とされている。このような成膜装置に用いられるスパッタ用の蒸発源は、プラズマの生成のために磁場を形成する磁石ユニットと、成膜材料から形成されたターゲット材を有している。また、磁石ユニットは、レーストラック型の場合であれば、ヨークの表面に設けられた長尺棒状の中央磁石と、この中央磁石を囲むようにヨークの表面に設けられた外周磁石とで構成されており、長手方向に沿って均一なプラズマを形成することを可能としている。
【０００３】
上述した蒸発源を用いて基材の表面に成膜を行う際には、バッキングプレートの表側にターゲット材を設置し、バッキングプレートの裏側に磁石ユニットを設置する。そして、電源などを用いて蒸発源に電圧を加えれば、磁石ユニットによりターゲット材の表面近傍に形成された磁場に沿ってプラズマが発生し、発生したプラズマを利用して基材の表面へ成膜を行うことが可能になる。
【０００４】
ところで、上述した成膜を行うと、発生したプラズマに曝されてターゲット材が高温になる。そのため、蒸発源にはターゲット材を冷却する冷却手段が付帯されることが多い。例えば、特許文献１には、上述したレーストラック型の磁石ユニットを有する成膜装置であって、磁石ユニットの内部を貫通するように冷却水を流通させることでバッキングプレートを介してターゲット材を冷却する成膜装置が開示されている。この特許文献１の成膜装置では、カソードボディーに冷却水を流通する配管が形成されており、カソードボディーの配管から磁石ユニットの内部を貫通する冷却水流路に冷却水を導入することで、バッキングプレートを介してターゲット材を冷却できるようになっている。
【先行技術文献】
【特許文献】
【０００５】
【特許文献１】特開平５−３１１４３０号公報
【発明の概要】
【発明が解決しようとする課題】
【０００６】
上述した成膜装置では成膜を行う基材の幅が変動することはあまり起こらず、成膜装置も予め決められた幅の基材に成膜を行う仕様となっているのが一般的である。しかし、量産において実際に成膜をする際には、成膜対象の基材の幅が通常よりも狭幅の基材を成膜しなくてはならない状況が現実には起こり得る。
例えば、ロール状に巻いたフィルム基材を巻き出して、連続的にスパッタ蒸発源の前を移動させながら成膜を行い、再びロール状に巻き取る、いわゆるスパッタロールコータと呼ばれる装置では、通常は装置の最大幅近くのフィルム基材を成膜している。ところが、場合によっては、装置の最大幅より遥かに狭い（例えば半分以下）フィルム基材への成膜をおこなう必要に迫られる場合がある。このような場合には、最大幅のフィルム基材の成膜処理に適したサイズのスパッタ蒸発源を用いて、フィルム幅に合わせた蒸着マスクを取り付けて、不要な蒸気をさえぎりながら成膜を行なう。
【０００７】
このようにすると、幅の狭いフィルムへの成膜が可能ではあるが、幅の狭い基材を成膜するために、最大幅のターゲット材を蒸発させることになり、高価な成膜物質が無駄になり、製造コストの高騰を招くことになった。
このような問題を解消する方法としては、幅の狭いフィルム基材への成膜を行なう場合に、これに対応した狭い幅の蒸発源に交換する方法がある。このようにすると、小さなターゲット材で成膜を行なうことが出来るため、成膜物質の無駄は生じない。しかし、これを実現するためには、蒸発源を一式取り替えることが必要となるので、交換の作業が膨大になる。また、サイズが異なる蒸発源を予め複数用意しなくてはならず、装置のコストが
高くなってしまうという問題があった。
【０００８】
本発明は、上述の問題に鑑みてなされたものであり、蒸発源そのものを取り替えることなく、蒸発源を構成する磁石ユニットやターゲット材のみを取り替えるだけで、幅が異なる基材に対しても成膜を行うことができる成膜装置及び成膜方法を提供することを目的とする。
【課題を解決するための手段】
【０００９】
上記課題を解決するため、本発明は以下の技術的手段を講じている。
即ち、本発明の成膜装置は、基材に対向する蒸発源を用いて、搬送される基材の表面に成膜を行う成膜装置であって、前記蒸発源は、成膜物質で形成された平板状のターゲット材と、前記ターゲット材が表面に取り付けられたバッキングプレートと、前記バッキングプレートの裏側に配備されて、ターゲット材にマグネトロン放電のための磁場を形成する磁石ユニットと、前記磁石ユニットを収納するカソードボディーと、前記磁石ユニットとバッキングプレートとが離間してなる空間であって且つ当該空間には冷却水が流通可能となっている冷却水流路と、を有しており、前記磁石ユニットは、前記基材よりも狭幅とされた狭幅基材を処理する場合には、これに対応して短尺のサイズが配備可能とされ、前記ターゲット材は、配備された磁石ユニットの幅に対応して短尺のサイズが配備されていることを特徴とする。
【００１０】
なお、好ましくは、前記磁石ユニットは、正面視で長方形に形成されており、前記冷却水流路は、前記磁石ユニットの長手方向の一方端の外側に形成されて前記水路板とバッキングプレートとの間に冷却水を流入させる導入路と、前記磁石ユニットの長手方向の他方端の外側に形成されて冷却水を外部に導出する導出路と、を有しているとよい。
なお、好ましくは、前記磁石ユニットは、正面視で長方形に形成されており、前記冷却水流路は、前記磁石ユニットの長手方向の中央部付近に形成されて前記水路板とバッキングプレートとの間に冷却水を流入させる導入路と、前記磁石ユニットの長手方向の中央部付近に形成されて冷却水を外部に導出する導出路と、を有しているとよい。
【００１１】
なお、好ましくは、前記磁石ユニットは、正面視で長方形に形成されると共に、少なくとも外周磁極の短辺部の高さが低く構成されており、前記冷却水流路は、通常尺の磁石ユニットを搭載する場合には、冷却水は外周磁極の短辺部付近の外周磁極と中央磁極の間の空間から導入乃至は導出され、短尺の磁石ユニットを搭載する場合には、前記磁石ユニットの前記短辺部の外側から冷却水が導入乃至は導出するとよい。
【００１２】
一方、本発明の成膜方法は、上記した成膜装置を用いて、基材の表面に成膜を行うに際し、前記基材よりも狭幅とされた狭幅基材の表面に成膜を行う場合には、短尺のサイズの磁石ユニットを配備し、配備した磁石ユニットの幅に対応して短尺のサイズのターゲット材を配備して成膜を実施することを特徴とする。
【発明の効果】
【００１３】
本発明の成膜装置及び成膜方法によれば、蒸発源そのものを取り替えることなく、蒸発源を構成する磁石ユニットやターゲット材のみを取り替えるだけで、幅が異なる基材に対しても成膜を行うことができるようになる。
【図面の簡単な説明】
【００１４】
【図１】（ａ）は本発明の成膜装置の構成を示す図であり、（ｂ）は図１のＡ−Ａ線断面図である。
【図２】（ａ）は通常幅の基材を成膜する場合の第１実施形態の蒸発源の構成を示す図であり、（ｂ）は（ａ）のＢ−Ｂ線断面図であり、（ｃ）は狭幅の基材を成膜する場合の第１実施形態の蒸発源を示す図である。
【図３】（ａ）は第１実施形態の蒸発源を用いた通常幅の基材に対する成膜を示した図であり、（ｂ）は第１実施形態の蒸発源を用いた狭幅の基材に対する成膜を示した図である。
【図４】（ａ）は通常幅の基材を成膜する場合の第２実施形態の蒸発源の構成を示す図であり、（ｂ）は（ａ）のＣ−Ｃ線断面図であり、（ｃ）は狭幅の基材を成膜する場合の第２実施形態の蒸発源を示す図である。
【図５】（ａ）は通常幅の基材を成膜する場合の第３実施形態の蒸発源の構成を示す図であり、（ｂ）は（ａ）のＤ−Ｄ線断面図であり、（ｃ）は狭幅の基材を成膜する場合の第３実施形態の蒸発源の構成を示す図であり、（ｄ）は（ｃ）のＥ−Ｅ線断面図である。
【図６】（ａ）は通常幅の基材を成膜する場合の従来の蒸発源の構成を示す図であり、（ｂ）は（ａ）のＦ−Ｆ線断面図であり、（ｃ）は狭幅の基材を成膜する場合の従来の蒸発源の構成を示す図である。
【発明を実施するための形態】
【００１５】
［第１実施形態］
以下、本発明に係る成膜装置１を、図面に基づき詳しく説明する。
図１（ａ）は第１実施形態の成膜装置１の全体構成を示しており、図１（ｂ）は蒸発源２の断面図を示している。
図１（ａ）に示すように、成膜装置１は、内部が真空排気可能とされた箱状の真空チャンバ３を有している。この真空チャンバ３には図示しない真空ポンプが排気管などを介して接続されていて、真空ポンプを用いて排気することにより真空チャンバ３の内部は真空または極低圧状態とされる。真空チャンバ３内には、成膜対象であるフィルムなどの基材Ｗを外周面に巻き掛けて案内する成膜ドラム４が配備されている。また、真空チャンバ３には、この成膜ドラム４に向かって基材Ｗを送り出している巻出ロール５と、この成膜ドラム４で成膜された基材Ｗを巻き取っている巻取ロール６とが設けられている。
【００１６】
さらに、真空チャンバ３の内部には、成膜ドラム４に巻き掛けられた基材Ｗに対向するように蒸発源２が配備されている。この蒸発源２にはプラズマ電源（図示略）からプラズマ発生用の電力（ＤＣ（直流）、ＰｕｌｓｅＤＣ（間欠的直流）、ＭＦ−ＡＣ（中間周波数領域の交流）あるいはＲＦ（高周波）など）の電力が供給されており、減圧状態の真空チャンバ３内でアルゴン等の放電ガスを導入して蒸発源２に電位をかければ蒸発源２の正面にプラズマが発生して基材Ｗに対する成膜が可能となる。
【００１７】
なお、以降の説明では、図２（ａ）の紙面の上下方向を、成膜装置１を説明する際の前後方向という。図２（ａ）の紙面の左右方向を、成膜装置１を説明する際の左右方向という。一方で、図２（ｂ）の紙面の上下方向を、成膜装置１を説明する際の上下方向という。
また、以降の実施形態では、マグネトロンスパッタ法を用いて成膜を行う装置の例を挙げて本発明の成膜装置１を説明する。
【００１８】
さらに、以降の説明では、基材Ｗの幅が狭幅と通常幅とで異なる２種類の基材Ｗについて成膜する実施形態を説明する。この場合、通常幅の基材Ｗを「通常基材」、通常基材より狭幅の基材Ｗを「狭幅基材」と呼び、両者を区別して表現する。
図２（ａ）は、基材Ｗ（通常基材）を成膜する場合の第１実施形態の蒸発源２の構成を示している。
【００１９】
図２（ａ）に示すように、第１実施形態の蒸発源２は、成膜物質で形成された平板状のターゲット材７と、このターゲット材７が表面に取り付けられたバッキングプレート８と、バッキングプレート８の裏側に配備されて、ターゲット材７にマグネトロン放電のための磁場を形成する磁石ユニット９と、を備えている。
また、この蒸発源２は、磁石ユニット９を収納するカソードボディー１０を有しており、このカソードボディー１０とバッキングプレート８との間には水路板１１が配備されている。この水路板１１は、バッキングプレート８と磁石ユニット９との間に配備されて両者を隔離（離間）できるようになっており、またその表面には後述する冷却水流路１２を形成する流路溝１３が形成されている。
【００２０】
次に、第１実施形態の蒸発源２を構成するターゲット材７、バッキングプレート８、磁石ユニット９、カソードボディー１０、水路板１１、及び冷却水流路１２について説明する。
まず、ターゲット材７は、基材Ｗに成膜しようとする皮膜の原料となる材料を板状に加工したものである。ターゲット材７には、金属材料やＣ、Ｓｉなどの無機物、ＩＴＯなど
の透明導電膜材料、ＳｉＯ２、ＳｉＮなどの化合物、有機物など板状に形成可能な材料が使用可能である。例えば、基材Ｗの表面にＴｉＮ、ＴｉＡｌＮ、ＣｒＮ等の硬質皮膜を成膜する場合であれば、Ｔｉ、ＴｉＡｌ合金、Ｃｒなどの金属板が用いられる。
【００２１】
ターゲット材７の幅は、上述した通常基材の幅に対応して、通常基材と同じ幅に形成されている。また、このターゲット材７には、上述したプラズマ電源からプラズマ発生用の電力がカソードボディー１０を通じて供給されていて、表面にプラズマを形成可能な電圧が加えられている。
バッキングプレート８は、通常金属で板状に形成され、熱伝導性と電気伝導性との双方に優れた銅が多く使われるが、ＳＵＳなども使用できる。バッキングプレート８の表面は平滑とされており、上述したターゲット材７を貼り付けたり剥がしたりして、バッキングプレート８自体を再利用できるようになっている。
【００２２】
磁石ユニット９は、バッキングプレート８と平行となるように配備されたヨーク１４と、このヨーク１４の中央に配備された中央磁石１５と、この中央磁石１５の外側のヨーク１４表面に配備された外周磁石１６とで形成されている。
具体的には、図２（ａ）及び図２（ｂ）に示されるように、ヨーク１４は、軟鉄などの磁性体で板状に形成されている。ヨーク１４の外縁には、ヨーク１４の表面に対して垂直な方向（前後方向）に向かって起立する板状の外周磁石１６が設けられている。
【００２３】
外周磁石１６は、バッキングプレート８の長辺方向（左右方向）に沿って伸びると共に互いに平行に配備された１組の長尺の板磁石１６Ｌと、バッキングプレート８の短辺方向（上下方向）に沿って伸びると共に互いに平行に配備された１組の短尺の板磁石１６Ｓとの４枚の板磁石を組み合わせて構成されている。これら４枚の板磁石は、いずれもターゲット材７側（前側）を向く端部が同じ磁極となるように配備されている。
【００２４】
中央磁石１５は、外周磁石１６と同様にヨーク１４の表面に対して垂直な方向（前方）に向かって起立する板磁石である。中央磁石１５は、外周磁石１６を構成する上述した４枚の板磁石の中央に位置しており、ターゲット材７側を向く端部に外周磁石１６と異なる磁極が位置するように取り付けられている。
つまり、上述した磁石ユニット９では、ヨーク１４の中央に位置する中央磁石１５からターゲット材７側に向かって磁石ユニット９の外方に出た磁力線は、ターゲット材７の表面近傍を通過し、再び磁石ユニット９の内部に位置するヨーク１４の外周磁石１６に戻り、このときターゲット材７の表面近傍に磁場が形成される。
【００２５】
なお、この説明では磁石ユニット９は長方形の形状であるが、外周磁石のうち端部に配置した短尺の板磁石１６Ｓを円弧状の形状として、レーストラック状の外形形状であっても良い。
カソードボディー１０は、上述した磁石ユニット９を収容可能な角状の容器である。カソードボディー１０の表面にはターゲット材７側に向かって開口した凹部１７が形成されている。この凹部１７は、上下方向及び左右方向に磁石ユニット９よりもやや大きな内寸を備えており、内部に磁石ユニット９を収容可能となっている。また、凹部１７の深さ、言い換えれば前後方向の凹部１７の内寸は、磁石ユニット９の厚み程度が一般的であるが、その他の部材との組合せで磁石ユニット９が収容可能な寸法であると良い。
【００２６】
凹部１７よりも左右方向の外側のカソードボディー１０には、冷却水を供給する冷却水給排配管１８が形成されている。この冷却水給排配管１８は、カソードボディー１０を厚み方向（前後方向）に貫通しており、凹部の周囲に少なくとも２箇所（図示は４箇所）設けられている。これら４箇所の冷却水給排配管１８のうち、磁石ユニット９の左側に位置する冷却水給排配管１８は冷却前の冷却水を供給する導入管として用いられており、磁石ユニット９の右側に位置する冷却水給排配管１８は冷却後の冷却水を排水する導出管として用いられている。
【００２７】
図示の例では、冷却水給排配管１８は４箇所あり、バッキングプレートの冷却を２つの独立した系統で行なうようになっている。あるいは、冷却水給排配管１８を２箇所として、その分、水路で冷却水の流れを制御しても良い。
ところで、第１実施形態の成膜装置１は、カソードボディー１０とバッキングプレート
８との間に、両部材の間に配備されて両者を隔離（離間）する水路板１１を有している。この水路板１１の表面には流路溝１３が形成されており、水路板１１とバッキングプレート８とを重ね合わせば、磁石ユニット９とバッキングプレート８とが離間してなる空間に冷却水を流通可能な冷却水流路１２が形成可能となっている。
【００２８】
次に、本発明の成膜装置１の特徴である冷却水流路１２及び水路板１１について説明する。
水路板１１は、カソードボディー１０の前側に配備されて、カソードボディー１０の凹部１７の開口を閉鎖するものであり、凹部１７の蓋として機能する部材である。水路板１１のサイズは、カソードボディー１０の外寸とほぼ同じであり、カソードボディー１０の前面を全面に亘って覆うことができるようになっている。水路板１１の内部には、冷却水を流通させる冷却水流路１２が形成されている。
【００２９】
冷却水流路１２は、カソードボディー１０の左側の冷却水給排配管１８を通じて供給された冷却水を、水路板１１の内部を貫流させつつ冷却し、冷却後の冷却水をカソードボディー１０の右側の冷却水給排配管１８から排出する構成となっている。具体的には、この冷却水流路１２は、左側の冷却水給排配管１８との接続箇所から、水路板１１の内部を前後方向に貫通するように前側に向かって伸びている。次に、水路板１１の前面まで伸びた冷却水流路１２は、水路板１１の前面で向きを変え、磁石ユニット９の周りを巡回するように（水路板１１の周囲を全周に亘って貫流するように）左右方向に沿って伸びる。最後に、冷却水流路１２は、水路板１１の内部を前後方向に貫通するように後側に向かって伸び、右側の冷却水給排配管１８から冷却水を水路板１１の外側に排出している。
【００３０】
上述した冷却水流路１２のうち、水路板１１の前面に沿った部分は、冷却水を左右方向に沿って流通させる流路溝１３とされている。この流路溝１３は、前側に向かって開口しており、水路板１１の上に重ね合わされたバッキングプレート８の表面に冷却水を直接接触させて、バッキングプレート８を効率良く冷却できるようになっている。また、水路板１１の表面における流路溝１３が形成された範囲は、磁石ユニット９の前面を全域に亘って覆えるようになっていて、磁石ユニット９に対応した位置にプラズマから入熱を受けるターゲット７をバッキングプレート８を介して冷却できるようになっている。
【００３１】
上述したように磁石ユニット９とバッキングプレート８との間に水路板１１を配備し、この水路板１１に冷却水流路１２を設ければ、バッキングプレート８と水路板１１をあらかじめ締結した状態でカソードボディー１０から取り外し可能となる。
一方で、例えば、図６（ａ）及び図６（ｂ）に示す従来の蒸発源１０２では、磁石ユニット１０９の内部を前後方向に貫通するように冷却水配管１１２が形成されており、左側の冷却水配管１１２を通じて供給された冷却水を、中央磁石１１５と外周磁石１１６との間に形成された左右方向を向く水路に導いて、バッキングプレート１０８を介してターゲット１０７冷却する構造となっており、冷却に用いられた冷却水は右側の冷却水配管１１２を通じて排水される。
【００３２】
この蒸発源で磁石ユニット１０９のサイズを変更しようとすると図６（ｃ）に示すように、カソードボディーの冷却水配管１１２の位置と磁石ユニット１０９の冷却水配管１１２の位置とが合わなくなるので、冷却水が供給できなくなる。したがって、従来の蒸発源で磁石ユニットのサイズを変更することは出来ない。
しかし、第１実施形態の蒸発源２では、基材Ｗの幅によらず固定とされたカソードボディー１０と水路板１１とに冷却水流路１２が形成されているため、狭幅基材の幅に対応してターゲット材７及び磁石ユニット９の幅を変更しても、冷却水流路１２の位置が変わることが無く、冷却が不十分になることもない。
【００３３】
例えば、図３（ａ）に示すように、通常基材の場合は、通常基材の基材幅とほぼ同じ幅のターゲット材７と磁石ユニット９とを用意すれば、冷却水配管１１２を通じて冷却水を流通させてバッキングプレート８を介してターゲット材７を冷却することが可能となり、通常基材に対して安定した成膜が可能となる。
一方、図３（ｂ）に示すように、通常基材より幅が狭い狭幅基材に成膜を行う場合は、狭幅基材の基材幅に対応して短尺のターゲット材７と磁石ユニット９とを用意する。そう
しても、バッキングプレート８の背面に対しても冷却水配管１２を通じて冷却水を流通させることが可能である。このようにすると、通常基材とは幅が異なる狭幅基材に対してもターゲット材の無駄が少ない成膜が可能となる。
【００３４】
つまり、ターゲット材７及び磁石ユニット９の双方に対して、狭幅基材に対応して予め短尺のものを準備しておけば、蒸発源２を一式すべて取り替えることなく、蒸発源２を構成する磁石ユニット９やターゲット材７のみを取り替えるだけで、基材Ｗのサイズ変更に対応して無駄の無い成膜を行うことが可能となる。
さらに、上述したバッキングプレート８とカソードボディー１０との間に水路板１１を配備すれば、バッキングプレート８と一緒に水路板１１をカソードボディー１０から容易に着脱することが可能となり、少ないボルト本数で水密なシール構造を行うこともできる。
【００３５】
さらにまた、第１実施形態の成膜装置１では、冷却水流路１２はカソードボディー１０と水路板１１との内部を貫流しているため、磁石ユニット９に冷却水が触れることがない。それゆえ、水に弱い磁石ユニット９の耐久性を高めることが可能となり、長期間に亘って安定した成膜を可能とする。
［第２実施形態］
次に、図４（ａ）〜図４（ｃ）を用いて第２実施形態の成膜装置１について説明する。
【００３６】
図４（ａ）〜図４（ｃ）に示すように、第２実施形態の成膜装置１は、バッキングプレート８の背面に冷却水を供給する冷却水流路１２の冷却水給排配管１８が磁石ユニット９の両側のカソードボディー１０に設けられているのではなく、磁石ユニット９の中央を貫通するように設けられていることを特徴としている。
つまり、第２実施形態の成膜装置１は、カソードボディー１０の左右方向の略中央に冷却水を供給または排出する冷却水給排配管１８が上下に並んで２本形成されている。これら２本の冷却水給排配管１８は、一方の冷却水給排配管１８（カソードボディー１０の下側の冷却水給排配管１８）が冷却水の導入路となっており、他方の冷却水給排配管１８（カソードボディー１０の上側の冷却水給排配管１８）が冷却水の導出路となっている。また、これらの冷却水給排配管１８は、いずれも磁石ユニット９及び水路板１１を前後方向に貫通するように形成されていて、水路板１１の前面に形成された流路溝１３に冷却水を流通できるようになっている。
【００３７】
また、第２実施形態の水路板１１に形成される流路溝１３は、第１実施形態とは異なり中央磁石１５を取り囲むように形成されており、一方の冷却水給排配管１８から供給された冷却水を、中央磁石１５の周囲を巡回するように下方から上方に向かって流通させて、他方の冷却水流路１２から冷却水を集中して排水できるようになっている。
上述した第２実施形態の成膜装置１では、冷却水給排配管１８がカソードボディー１０の壁内に形成されておらず、カソードボディー１０の中央に配備されている分、カソードボディー１０の幅は第１実施形態よりもコンパクトになっている。
【００３８】
また、第２実施形態の蒸発源２では、冷却水流路１２が磁石ユニット９の中央に集約して設けられているため、中央の冷却水流路１２を変化させない範囲であれば、磁石ユニット９を左右方向に縮めることができ、磁石ユニット９のサイズや配置を自由に変更できる。ターゲット７をこの磁石ユニット９に相当する形にすることによって、通常幅の基材にも狭幅の基材にも最適な装置構成を実現可能である。
［第３実施形態］
次に、図５（ａ）〜図５（ｄ）を用いて第３実施形態の成膜装置１について説明する。
【００３９】
図５（ａ）及び図５（ｂ）に示すように、第３実施形態の成膜装置１は、図６（ａ）及び図６（ｂ）に示した従来の蒸発源１０２の冷却水配管１１２と同様に、磁石ユニット９の内部を前後方向に貫通するように冷却水配管１２が形成されており、左側の冷却水配管１２を通じて供給された冷却水を、中央磁石５と外周磁石６との間に形成された左右方向を向く水路に導いて、バッキングプレート８を介してターゲット７冷却する構造となっており、冷却に用いられた冷却水は右側の冷却水配管１２を通じて排水される。
【００４０】
ただし、従来の蒸発源１０２との相違点は、磁石ユニット９の外周磁石１６の短辺の高
さが、長辺よりも低く設計されている点である。このため、図５（ｃ）に示すように、長さの短い磁石ユニット９をカソードボディー１０に取り付けた場合に、図５（ｃ）、図５（ｄ）に示すように、冷却水の流路を確保することが可能になる。このため、図５（ｃ）に示すとおり、短いターゲット材７を取り付けることにより、第１実施形態、第２実施形態と同様に、幅狭の基材Ｗに成膜処理を経済的に行なう事が出来る。
【００４１】
以上述べたように、本発明の成膜装置１を用いることで、蒸発源２そのものを取り替えることなく、蒸発源２を構成する磁石ユニット９やターゲット材７のみを取り替えるだけで、基材Ｗのサイズ変更に対応して成膜を安定して行うことができる。
ところで、本発明は上記各実施形態に限定されるものではなく、発明の本質を変更しない範囲で各部材の形状、構造、材質、組み合わせなどを適宜変更可能である。また、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な事項を採用している。
【符号の説明】
【００４２】
１  成膜装置
２  蒸発源
３  真空チャンバ
４  成膜ドラム
５  巻出ロール
６  巻取ロール
７  ターゲット材
８  バッキングプレート
９  磁石ユニット
１０  カソードボディー
１１  水路板
１２  冷却水流路
１３  流路溝
１４  ヨーク
１５  中央磁石
１６  外周磁石
１６Ｌ  長尺の板磁石
１６Ｓ  短尺の板磁石
１７  凹部
１８  冷却水給排配管
１０２  従来の蒸発源
１０９  従来の磁石ユニット
１１２  従来の冷却水配管
Ｗ  基材
【図１】
2014224284.tif 000003
【図２】
2014224284.tif 000004
【図３】
2014224284.tif 000005
【図４】
2014224284.tif 000006
【図５】
2014224284.tif 000007
【図６】
2014224284.tif 000008